(57)【要約】【課題】ハーネス配線と動力伝達部材が接触してキャリッジの読取動作に悪影響を及ぼすことを防止できると共に、ハーネス配線が板金製のシャーシ部材の挿通穴の内縁部に接触して損傷することを防止できる画像読取装置を提供する。【解決手段】板金製のシャーシ部材上に形成したガイドレール７２に沿って移動可能に担持されプラテンガラス上の原稿の画像を走査するキャリッジと、該キャリッジに駆動モータの動力を伝達する動力伝達部材５６，５７と、ガイドレール７２の側面７２ｄに設けた挿通穴４０から出ているハーネス配線４５とを備えた画像読取装置において、挿通穴４０の内縁部４１を覆う筒状の本体部４２と、挿通穴４０から出ているハーネス配線４５と動力伝達部材５６，５７との間に延在するように本体部４２から突出するひさし部４３とを一体形成してなる合成樹脂製の配線保護カバー４１を、挿通穴４０に装着した。【選択図】図４
2007306136.tif 000002
【特許請求の範囲】
【請求項１】
板金製のシャーシ部材と、前記シャーシ部材上に設置されたガイドレールに沿って移動可能に担持されプラテンガラス上の原稿の画像を読取走査するキャリッジと、前記キャリッジに駆動モータの動力を伝達する動力伝達部材と、前記シャーシ部材に設けた挿通穴から出て配設されているハーネス配線とを備えた画像読取装置において、
前記挿通穴に挿入されてその内縁部を覆う筒状の本体部と、前記挿通穴から出ているハーネス配線と前記動力伝達部材との間に延在するように前記本体部から突出するひさし部とを一体形成してなる合成樹脂製の配線保護カバーを、前記挿通穴に装着したことを特徴とする画像読取装置。
【請求項２】
請求項１に記載の画像読取装置において、
前記ガイドレールが前記シャーシ部材の上面に突出して該シャーシ部材と一体形成されていると共に、前記挿通穴が該ガイドレールの側面部に開口して形成され、該挿通穴から出ているハーネス配線の上方に前記動力伝達部材が張設されていることを特徴とする画像読取装置。
【請求項３】
請求項２に記載の画像読取装置において、
前記配線保護カバーのひさし部は、前記挿通穴から出ているハーネス配線の上側を覆う板形状に形成されていることを特徴とする画像読取装置。
【請求項４】
請求項３に記載の画像読取装置において、
前記ひさし部の前記動力伝達部材の張設方向における両端部が、前記挿通穴から出ているハーネス配線の両側部を囲むように湾曲する湾曲部になっていることを特徴とする画像読取装置。
【発明の詳細な説明】
【技術分野】
【０００１】
本発明は、ガイドレールに沿って移動可能に担持されたキャリッジでプラテンガラス上の原稿の画像を走査して読み取る画像読取装置に関し、特に、該画像読取装置のシャーシ部を構成するシャーシ部材に設けた挿通穴から出て配設されているハーネス配線を備えた画像読取装置に関するものである。
【背景技術】
【０００２】
スキャナやファクシミリや複写機等が備える画像読取装置は、特許文献１に示すように、光源及び反射ミラー等が搭載されたキャリッジを備え、該キャリッジでプラテンガラス上に載置された原稿の画像を走査し、該走査した画像をＣＣＤ等の結像ユニットに導くことで原稿画像の読み取りを行うように構成されている。この種の画像読取装置は、該画像読取装置のシャーシ部を構成する板金製のシャーシ部材と、キャリッジを移動可能に担持するシャーシ部材上に設置されたガイドレールと、キャリッジに駆動モータの動力を伝達する動力伝達部材とを備えると共に、シャーシ部材に設けた挿通穴から出て配設されているハーネス配線を具備している。
【特許文献１】特開２００２−７２０５５号公報
【発明の開示】
【発明が解決しようとする課題】
【０００３】
ところがこの画像読取装置では、配設されているハーネス配線がその組み付け時もしくはメンテナンス時の配設不良により撓んだ状態となっている場合、もしくは動力伝達部材が駆動時の衝撃により撓んだ状態となっている場合に、ハーネス配線と動力伝達部材とが接触してしまい、キャリッジの移動に悪影響を及ぼして、画像の読取精度の低下につながってしまうという問題があった。また、ハーネス配線が動力伝達部材に接触すると損傷を受けてしまうおそれもあった。一方で、板金製のシャーシ部材に設けた挿通穴の内縁部にヘミング加工が施されていない場合、未加工の鋭利な板金切断面がこの内縁部に露出していることがある。そのような状態では、挿通されているハーネス配線がこの切断面に接触して損傷を受けてしまうおそれがあった。
【０００４】
本発明は上述の点に鑑みてなされたものでありその目的は、ハーネス配線が動力伝達部材に接触してキャリッジの読取動作に悪影響を及ぼすことを防止できると共に、板金製のシャーシ部材に設けた挿通穴に挿通されているハーネス配線が挿通穴の内縁部に接触して損傷を受けることを防止できる画像読取装置を提供することにある。
【課題を解決するための手段】
【０００５】
上記課題を解決するため本願の請求項１に記載の発明は、板金製のシャーシ部材と、前記シャーシ部材上に設置されたガイドレールに沿って移動可能に担持されプラテンガラス上の原稿の画像を読取走査するキャリッジと、前記キャリッジに駆動モータの動力を伝達する動力伝達部材と、前記シャーシ部材に設けた挿通穴から出て配設されているハーネス配線とを備えた画像読取装置において、前記挿通穴に挿入されてその内縁部を覆う筒状の本体部と、前記挿通穴から出ているハーネス配線と前記動力伝達部材との間に延在するように前記本体部から突出するひさし部とを一体形成してなる合成樹脂製の配線保護カバーを、前記挿通穴に装着したことを特徴とする。
【０００６】
本願の請求項２に記載の発明は、請求項１に記載の画像読取装置において、前記ガイドレールが前記シャーシ部材の上面に突出して該シャーシ部材と一体形成されていると共に、前記挿通穴が該ガイドレールの側面部に開口して形成され、該挿通穴から出ているハーネス配線の上方に前記動力伝達部材が張設されていることを特徴とする。
【０００７】
本願の請求項３に記載の発明は、請求項２に記載の画像読取装置において、前記配線保護カバーのひさし部は、前記挿通穴から出ているハーネス配線の上側を覆う板形状に形成されていることを特徴とする。
【０００８】
本願の請求項４に記載の発明は、請求項３に記載の画像読取装置において、前記ひさし部の前記動力伝達部材の張設方向における両端部が、前記挿通穴から出ているハーネス配線の両側部を囲むように湾曲する湾曲部になっていることを特徴とする。
【発明の効果】
【０００９】
本願の請求項１に記載の発明によれば、挿通穴から出ているハーネス配線が撓んで浮き上がった場合や動力伝達部材が撓んだ場合でも、配線保護カバーのひさし部によってこれらハーネス配線と動力伝達部材が接触することを防止できるので、キャリッジの読取動作に悪影響を及ぼすことを防止でき、画像の読取精度の低下を防止できる。また、配線保護カバーの本体部によって挿通穴の内縁部が覆われているので、この内縁部に未加工の鋭利な板金切断面が露出していても、そこにハーネス配線が接触するおそれがないので、ハーネス配線が損傷を受けることを防止できる。また、ひさし部が一体形成された配線保護カバーが板金製のシャーシ部材に直接取り付けられているので、ハーネス配線や動力伝達部材がひさし部に接触しても、ひさし部の位置がずれたりしない十分な衝撃強度を備えている。また、配線保護カバーはシャーシ部材の挿通穴に装着するので、その取り付けが容易に行える。
【００１０】
本願の請求項２に記載の発明によれば、シャーシ部材の上面に突出するガイドレールの側面部に開口して形成された挿通穴から出ているハーネス配線が撓んで浮き上がったり、その上方に張設されている動力伝達部材が撓んで垂れ下がった場合でも、これらハーネス配線と動力伝達部材が接触することを防止できる。
【００１１】
本願の請求項３に記載の発明によれば、簡単な構成の配線保護カバーで、ハーネス配線と動力伝達部材が接触することを防止できる。
【００１２】
本願の請求項４に記載の発明によれば、ひさし部の動力伝達部材の張設方向における両端部に湾曲部を設けたことで、浮き上がったハーネス配線がひさし部の両端部から動力伝達部材側に露出することを防止できるので、走行している動力伝達部材にハーネス配線が接触することを効果的に防止できる。また、動力伝達部材が撓んでひさし部に接触した場合でも、ひさし部に引っ掛かることがない。
【発明を実施するための最良の形態】
【００１３】
以下、本発明の実施形態を図面に基づいて詳細に説明する。図１は、本発明の一実施形態に係る画像読取装置を備えた画像形成装置を示す斜視図である。まず図１を用いて画像形成装置の概略全体構成について説明する。本発明に係る画像形成装置としては、画像読取装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に設置された記録部２と、上段側に設置された読取部３とを備えている。記録部２には、記録装置４と給紙カセット５及び記録紙排出トレイ６が内装され、給紙カセット５内に収容されている用紙を記録装置４へ給紙し、該記録装置４で用紙への記録を行った後、用紙を記録紙排出トレイ６へ排出するように構成されている。
【００１４】
読取部３は、原稿の画像を走査して読み取る画像読取装置１０と、該画像読取装置１０の前面側の側部に取り付けられた操作パネル７と、画像読取装置１０の上部にその一辺が図示しないヒンジ機構で開閉可能に取り付けられた原稿押えカバー８とを備えている。原稿押えカバー８の一端部には原稿を自動的に給紙する自動給紙装置（ＡＤＦ装置）２０が付設されている。
【００１５】
図２は、画像読取装置１０と自動給紙装置２０の詳細構成を示す側断面図である。自動給紙装置２０は、複数枚の原稿を積載保持する原稿トレイ２１と、横向きＵ字状の搬送路２２と、搬送後の原稿を積載保持する排紙トレイ２３と、原稿トレイ２１上の原稿を搬送路２２へ送り込むピックアップローラ２４及び給紙ローラ２５と、搬送路２２において原稿をニップして搬送する搬送ローラ２６と、搬送路２２の出口付近に設けられた排紙ローラ２７と、読取位置Ｐ２で原稿の画像読取りを行う密着形イメージセンサ（Contact Image Sensor，以下「ＣＩＳ」と記す）を具備するＣＩＳ読取ユニット２８とを備えて構成されている。
【００１６】
図３は、画像読取装置１０の構成を示す概略平面図である。なお図２に示す画像読取装置１０は、図３のＡ−Ａ矢視断面の部分を示している。図２及び図３に示すように画像読取装置１０は、該画像読取装置１０のシャーシ部分を構成する板金製のシャーシ部材７０と、底面部３１と側壁部３２とを有しシャーシ部材７０上に設置されるカバー部材３０と、側壁部３２の内側に形成されたキャリッジ収納部３３の上部を覆う、図２に示す上部カバー３５とを備えている。カバー部材３０と上部カバー３５はいずれも合成樹脂製で、上部カバー３５の上面部３５ａには、プラテンガラス３６が設置されている。なお図３では上部カバー３５の図示は省略している。シャーシ部材７０は、平板状の底面部７１と該底面部７１の手前側と奥側の上面に一体形成されている一対のガイドレール７２，７２とを備えている。これらガイドレール７２，７２は、カバー部材３０の底面部３１に形成された開口部３１ａからキャリッジ収納部３３内に突出している。ガイドレール７２，７２は、長手方向が左右方向に向かって平行に敷設されていて、シャーシ部材７０の底面部７１から上方に突出する略矩形の断面形状を有し、その上面が平面状の摺動面７２ａ，７２ａになっている。なおキャリッジ収納部３３の手前側の外部には、操作パネル７を設置する操作パネル設置部３４が設けられている。
【００１７】
そしてキャリッジ収納部３３内には、ガイドレール７２，７２に両端が担持されたフルレートキャリッジ１２とハーフレートキャリッジ１５が設置されている。これらはガイドレール７２，７２に沿ってキャリッジ収納部３３内を左右方向に移動可能になっている。
フルレートキャリッジ１２は、ガイドレール７２，７２の摺動面７２ａ，７２ａ上にその両端部が載置された本体部１２ａと、本体部１２ａに搭載された光源ランプ１３と反射ミラー１４とを備えている。またハーフレートキャリッジ１５は、本体部１５ａと、該本体部１５ａに取り付けられその両端部がガイドレール７２，７２の摺動面７２ａ，７２ａ上に載置された平板状の支持部材１６と、該支持部材１６の上方及び下方に設置された一対の反射ミラー１７，１７とを備えている。
【００１８】
また図３に示すように、カバー部材３０の底面部３１に設けた開口部３１ｂ，３１ｃから露出するシャーシ部材７０の底面部７１上には、結像ユニット１８及びインバータ装置１９が設置されている。結像ユニット１８は、入射した反射光を収束する結像レンズ１８ａと、その収束光による光学画像を画像データに変換するＣＣＤイメージセンサ（光電素子）１８ｂとを備えたＣＣＤ結像ユニットである。インバータ装置１９は、光源ランプ１３の照射光を安定させるための装置である。
【００１９】
ガイドレール７２，７２の内側には、キャリッジ駆動機構５０が設置されている。キャリッジ駆動機構５０は、ガイドレール７２，７２の右端部７２ｂ，７２ｂの内側位置に設置された駆動プーリ５１，５１と、左端部７２ｃ，７２ｃの内側位置に設置された従動プーリ５３，５３とを備え、これら駆動プーリ５１，５１と従動プーリ５３，５３の間に無端状の動力伝達部材５６，５６が巻架されている。またガイドレール７２，７２の右端部７２ｂ、７２ｂの内側位置に設置された駆動プーリ５２，５２と、左端部７２ｃ，７２ｃの内側位置に設置された従動プーリ５４，５４とを備え、これら駆動プーリ５２，５２と従動プーリ５４，５４の間に無端状の動力伝達部材５７，５７が巻架されている。そして一方の動力伝達部材５６，５６がフルレートキャリッジ１２に固定され、他方の動力伝達部材５７，５７がハーフレートキャリッジ１５に固定されている。駆動プーリ５１，５１と駆動プーリ５２，５２はいずれも駆動軸５８に取り付けられ、従動プーリ５３，５３は回転軸６４に取り付けられ、従動プーリ５４，５４は回転軸６５に取り付けられている。動力伝達部材５６，５６と動力伝達部材５７，５７は、ガイドレール７２，７２の内側面７２ｄ，７２ｄの内側位置に設置されて、ガイドレール７２，７２に沿う方向に張設されている。
【００２０】
また図３に示すように、キャリッジ収納部３３の奥側の外部には駆動モータ６０が配置されている。そして、駆動軸５８の一端が駆動モータ６０に隣接して配置され、この駆動軸５８の一端に取り付けられたプーリ５９と、駆動モータ６０の回転軸６０ａに取り付けられたプーリ６２との間に、動力伝達部材６３が掛け渡されていて、駆動モータ６０の回転が駆動プーリ５１，５１及び駆動プーリ５２，５２に伝達されるようになっている。そして駆動プーリ５１と駆動プーリ５２の直径の比が、略１／２になっている。これによりフルレートキャリッジ１２の走査速度及び走査距離に対するハーフレートキャリッジ１５の走査速度及び走査距離が、いずれも略１／２になるように設定されている。
【００２１】
駆動モータ６０の駆動による動力伝達部材５６，５７の周運動で、フルレートキャリッジ１２及びハーフレートキャリッジ１５が、ガイドレール７２，７２に沿ってキャリッジ収納部３３内を左端から右方向に移動する。その際に、図２に示すようにフルレートキャリッジ１２の光源ランプ１３からプラテンガラス３６上の原稿に光が照射され、該原稿からの反射光が反射ミラー１４，１７，１７で順次反射されて結像ユニット１８へ導かれることで、原稿の画像が読み取られる。
【００２２】
画像読取装置１０で、フラットベッドスキャナとして原稿画像の読み取りを行う場合は、原稿押えカバー８を閉じてプラテンガラス３６上に載置した原稿を押圧して固定する。その状態で画像読取装置１０による原稿画像の読み取りを行なう。一方、自動給紙装置２０を用いて原稿画像の読み取りを行う場合は、原稿トレイ２１から搬送路２２へ繰り込まれた原稿が、搬送路２２に沿って上方から下方へＵターンするように反転して読取位置Ｐ１に至り、読取位置Ｐ１を通過する際に、この読取位置Ｐ１にフルレートキャリッジ１２及びハーフレートキャリッジ１５が位置合わせされている画像読取装置１０で原稿の表面側の画像が読み取られる。さらに原稿が搬送路２２を搬送されて読取位置Ｐ２を通過する際に、ＣＩＳ読取ユニット２８で原稿の裏面側の画像が読み取られる。その後、用紙が排紙トレイ２３へ排出される。
【００２３】
ここで、画像読取装置１０のカバー部材３０の底面部３１上に配設されているハーネス配線について説明する。キャリッジ収納部３３内の奥側に配置されたガイドレール７２の内側面７２ｄに挿通穴４０が形成されていて、この挿通穴４０からカバー部材３０の底面部３１上に配設されるハーネス配線４５，４６が出ている。ハーネス配線４５，４６は、シャーシ部材７０とカバー部材３０の下側に設置されている図示しない制御基盤等の電子部品と、シャーシ部材７０の底面部７１上に設置されている結像ユニット１８やインバータ装置１９等の電子部品とを電気的に接続している配線部品である。そして挿通穴４０には、合成樹脂製の部材である配線保護カバー４１が装着されている。
【００２４】
図４は、ガイドレール７２の内側面７２ｄに設けた挿通穴４０と、この挿通穴４０に装着される配線保護カバー４１とを示す部分拡大図である。なお同図及び下記の図５では、ハーネス配線４６の図示は省略している。図４に示すように配線保護カバー４１は、挿通穴４０に挿入された際にその内縁部４０ａを覆うように、該挿通穴４０の内周寸法よりも若干小さな外周寸法に形成された筒状の本体部４２と、該本体部４２の一方の開口端の略上半分から本体部４２の側壁に沿う方向に突出するひさし部４３とを一体に形成している。
【００２５】
ひさし部４３は、挿通穴４０から底面部３１上に出ているハーネス配線４５の上側部分を覆う板形状に形成されていて、その両側端部が、先端に向かうにつれて挿通穴４０の外周に沿って下方向に向かって湾曲する湾曲部４３ａ，４３ａになっている。この湾曲部４３ａ，４３ａは、配線保護カバー４１を挿通穴４０に装着した際に、動力伝達部材５６，５７の張設方向におけるひさし部４３の両端側に配置される。またこの湾曲部４３ａ，４３ａは、配線保護カバー４１を挿通穴４０に装着した状態で、挿通穴４０から出ているハーネス配線４５の両側を囲むように湾曲した状態に形成されている。一方、この配線保護カバー４１の本体部４２の他方の開口端（挿通穴４０内に挿入される開口端）には、細片状のスナップフィット係合片４４が形成されている。このスナップフィット係合片４４は、配線保護カバー４１を挿通穴４０に装着した際に、ガイドレール７２内部の図示しない係合部にスナップフィット係合することで、配線保護カバー４１が挿通穴４０から容易に抜けないように固定するためのものである。
【００２６】
図５は、挿通穴４０に配線保護カバー４１を装着した状態を示す図である。同図に示すように、キャリッジ駆動機構５０の動力伝達部材５６，５７が、挿通穴４０から出ているハーネス配線４５の上方に張設されている。そして挿通穴４０に装着された配線保護カバー４１のひさし部４３が、ハーネス配線４５と動力伝達部材５６，５７との間に延在して、ハーネス配線４５の上側を覆うように配置されている。これにより、挿通穴４０から出ているハーネス配線４５が組み付け時もしくはメンテナンス時の配設不良により撓んだ状態となっている場合、もしくは動力伝達部材５６，５７が駆動時の衝撃により撓んだ状態となっている場合でも、ひさし部４３によってハーネス配線４５と動力伝達部材５６，５７とが接触することを防止できる。したがってハーネス配線４５と動力伝達部材５６，５７とが接触することでフルレートキャリッジ１２やハーフレートキャリッジ１５の動作に悪影響を及ぼすことを防止でき、画像の読取精度の低下を防止できる。
【００２７】
また、ひさし部４３の動力伝達部材５６，５７の張設方向における両側端部が、挿通穴４０から出ているハーネス配線４５の両側を囲むように湾曲して形成された湾曲部４３ａ，４３ａになっているので、浮き上がったハーネス配線４５がひさし部４３の両側端部から動力伝達部材５６，５７側に露出することを防止できるので、ひさし部４３の上方で走行している動力伝達部材５６，５７にハーネス配線４５が接触することを効果的に防止できる。また、動力伝達部材５６，５７が撓んでひさし部４３に接触した場合でも、ひさし部４３に引っ掛かることがない。
【００２８】
また図４に示すように、配線保護カバー４１の本体部４２で挿通穴４０の内縁部４０ａが覆われているので、内縁部４０ａに未加工の鋭利な板金切断面が露出している場合でも、該切断面にハーネス配線４５が接触するおそれがないので、ハーネス配線４５が損傷を受けることを防止できる。また配線保護カバー４１は、板金製のシャーシ部材７０に直接取り付けられているので、ハーネス配線４５や動力伝達部材５６，５７がひさし部４３に接触した場合でも、ひさし部４３がその位置からずれたりするおそれが少なく、十分な衝撃強度を備えている。またこの配線保護カバー４１は、挿通穴４０内に挿入して装着されるので、その取り付けが容易に行える。特に、挿通穴４０内に挿入した際にスナップフィット係合片４４で固定されるので、工具などを用いずに簡単に取り付けを行うことができる。
【００２９】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、シャーシ部材７０に形成した挿通穴４０の具体的な形状や位置は、上記実施形態に示す形状や位置には限定されない。したがって挿通穴４０は、該挿通穴４０に装着する配線保護カバー４１のひさし部４３が、動力伝達部材５６，５７とハーネス配線４５の間に延在するような位置でさえあれば、ガイドレール７２の内側面７２ｄ以外の位置に形成されていても良い。
【００３０】
また配線保護カバー４１の具体的な形状は、上記実施形態に示すものには限定されない。即ち、本発明の配線保護カバーとしては、挿通穴の内縁部を覆う筒状の本体部と、挿通穴から出ているハーネス配線と動力伝達部材との間に延在するように本体部から突出するひさし部とを備えてさえいれば、本体部やひさし部の具体的な形状は他の形状であっても良い。また、上記実施形態で示す画像読取装置１０の構成は一例であり、適宜他の構成を採用することが可能である。例えば、フルレートキャリッジ１２及びハーフレートキャリッジ１５は、上記実施形態のように光源ランプ１３及び反射ミラー１４，１７，１７を搭載したものには限定されず、キャリッジの構成としてはそれ以外にも、光源ランプと結像ユニットを搭載したものなどでも良い。
【図面の簡単な説明】
【００３１】
【図１】本発明の一実施形態に係る画像読取装置を備えた画像形成装置の全体構成を示す斜視図である。
【図２】画像読取装置と自動給紙装置の構成を示す側断面図である。
【図３】画像読取装置の構成を示す概略平面図である。
【図４】シャーシ部材に一体形成されたガイドレールの側面部に設けた挿通穴と、該挿通穴に装着する配線保護カバーとを示す斜視図である。
【図５】挿通穴に配線保護カバーを装着した状態を示す斜視図である。
【符号の説明】
【００３２】
１      画像形成装置
１０    画像読取装置
１２    フルレートキャリッジ
１５    ハーフレートキャリッジ
１８    結像ユニット
１９    インバータ装置
２０    自動給紙装置
３０    カバー部材
３３    キャリッジ収納部
３５    上部カバー
３６    プラテンガラス
４０    挿通穴
４０ａ  内縁部
４１    配線保護カバー
４２    本体部
４３    ひさし部
４３ａ  湾曲部
４４    スナップフィット係合片
４５    ハーネス配線
４６    ハーネス配線
５０    キャリッジ駆動機構
５６    動力伝達部材
５７    動力伝達部材
６０    駆動モータ
７０    シャーシ部材
７１    底面部
７２    ガイドレール
７２ｄ  内側面
【図１】
2007306136.tif 000003
【図２】
2007306136.tif 000004
【図３】
2007306136.tif 000005
【図４】
2007306136.tif 000006
【図５】
2007306136.tif 000007